(57)【要約】【課題】放送受信部と、その他の構成が別であってこれらが通信することを要する場合に、チャンネルを切り換える速度を向上させる放送受信装置を提供する。【解決手段】  放送受信装置は、受信部、録画部、ＯＳＤ合成部、Ｄ／Ａ変換器、制御部、リモコン受光部、リモコン等を備える。チャンネル移動（ＳＴ１、ＳＴ２）の後タイマーのカウントを開始し（ＳＴ３０１）、その後の時間の経過によりチャンネルの移動の入力が連続していることを判断する（ＳＴ３０３）。一定時間経過する前に、リモコン受光部がチャンネルの移動の入力を続けて受けた場合には（ＳＴ３０２のＹＥＳ）、ＳＴ１に戻る。リモコン受光部がチャンネルの移動の入力を続けて受けることなく、一定時間経過した場合には（ＳＴ３０２のＹＥＳ）、視聴制限解除処理（ＳＴ４）、放送番組のＯＳＤ（On-Screen Display）表示を行う（ＳＴ５）。【選択図】図２
2008306344.tif 000002
【特許請求の範囲】
【請求項１】
放送番組と放送番組の情報と、各放送番組についての視聴制限情報を受信する受信手段と、
前記受信手段が受信した放送番組の情報のＯＳＤを出力するＯＳＤ出力手段と、
所定の操作入力を受けて、前記放送番組のチャンネルの切換を前記受信手段に指示するチャンネル指示手段と、
前記視聴制限情報に基づいて、視聴制限すべき放送番組を前記操作入力の前に予め選択して、視聴制限の指示を前記受信手段に対して行う視聴制限手段と、を備える放送受信装置において、
前記チャンネル指示手段は、前記所定の操作入力を受けた後に、前記視聴制限情報に基づいて、前記視聴制限手段が行った視聴制限の解除の指示を行う手段を有し、
（Ａ）前記所定の操作入力の後、所定時間経過するまでに、前記チャンネル指示手段が、前記操作入力を続けて受けた場合には、前記チャンネル指示手段は、前記視聴制限の解除の指示を行わないと共に、前記ＯＳＤ出力手段は、前記放送番組の情報のＯＳＤを出力せず、
（Ｂ）前記操作入力の後、前記所定時間の間、前記チャンネル指示手段が前記操作入力を受けなかった場合には、前記チャンネル指示手段は、前記視聴制限情報に基づいて前記視聴制限の解除の指示を行うと共に、前記ＯＳＤ出力手段は、前記放送番組の情報のＯＳＤを出力する放送受信装置。
【請求項２】
前記チャンネル指示手段は、前記操作入力をチャンネルのアップ／ダウンキーから受ける請求項１に記載の放送受信装置。
【請求項３】
前記チャンネル指示手段は、前記チャンネルのアップ／ダウンキーのみならず、直接チャンネルの番号の指示をも受け付け、
前記直接チャンネルの番号の指示を受け付けた場合には、前記受信手段は、前記所定時間の経過を待たずに、前記前記視聴制限情報に基づいて前記視聴制限を解除する指示を行うと共に、前記ＯＳＤ出力手段は、前記所定時間の経過を待たずにこのチャンネルの放送番組の情報のＯＳＤを出力する請求項２に記載の放送受信装置。
【発明の詳細な説明】
【技術分野】
【０００１】
本発明は、放送を受信して映像信号を出力する放送受信装置に関し、特に、指定されたチャンネルにすばやく切り換える手段に関する。
【背景技術】
【０００２】
従来より、放送を受信するチューナ（放送受信装置）やチューナを内蔵したＤＶＤレコーダが実用化されている。このＤＶＤレコーダでは、チューナの設計上の都合から、放送受信部と、その他のモジュール（以下メインモジュールという。）とを別モジュールで構成することが行われている。また、各々のモジュールを制御するため、別マイコンを設けることが行われている。
【０００３】
この構成を採用する場合、チャンネルを切り換えるために、システムモジュール側のメインマイコンは、サブマイコンに以下の動作を指示していた。すなわち、（ａ）チャンネルの移動、（ｂ）チャンネルが移動したかの確認、（ｃ）ペアレンタルロックの解除処理、（ｄ）放送番組名等のＯＳＤ（On-Screen Display）表示である。これらの処理の都度、２つのマイコンは通信を行っている。
【０００４】
例えば（ｃ）の処理では、メインマイコン側から、ステータス取得コマンドをサブマイコンに指示した後、サブマイコンは、ステータス（現在のサブマイコンの状態）をメインマイコン側に出力する。メインマイコンは、ステータスを受けて、ペアレンタルロックをかけるかどうか判断し、ペアレンタルロックする仮想チャンネルをサブマイコンに出力する。
【０００５】
（ｄ）の処理では、チャンネル表示のみならず、放送番組に関係する情報のＯＳＤを出力する。１回目のチャンネル切換でＯＳＤを出力した後、所定時間後、ＯＳＤは画面から消去される。しかし、チャンネルＵＰ／ＤＯＷＮキーが続けて押されたときは、ＯＳＤが消去されず残っていることになる。この時にはチャンネル表示等のＯＳＤを消去した後、ＯＳＤの出力を行っていた。
【０００６】
また、特許文献１には、チャンネルＵＰ／ＤＯＷＮキーの連続押し下げが解除されたとき、その瞬間に放送チャンネルの選局動作を行う選局装置が開示されている。特許文献２にも特許文献１と同様の記載がある。
【特許文献１】特開２００４−１３５０５０公報
【特許文献２】特開２００６−１９７４９２公報
【発明の開示】
【発明が解決しようとする課題】
【０００７】
しかしながら、（ａ）〜（ｄ）の処理は合計１．６秒ほどの時間がかかっていた。特に、（ｃ）、（ｄ）の処理は、（ａ）、（ｂ）の処理の３、４倍かかっていた。具体的には、（ｃ）の処理は通信に時間がかかり、往復で０．６秒かかる。（ｄ）の処理は、チャンネル切換前のチャンネルの情報を画面から削除するのに０．５秒、表示するのに０．５秒かかる。
【０００８】
この（ａ）〜（ｄ）の動作は、チャンネル番号を押すたびに実行され、それぞれ１．６秒かかるから、チャンネルの切換動作が遅く感じられ、ユーザをいらいらさせる問題があった。また、連続でチャンネル切換がされると、特定の処理が間に合わず、受信装置の動作が不安定になる虞があった。例えば、視聴制限されている放送番組や、チャンネル切換前の情報など映ってはならない映像が出力される虞があった。
【０００９】
また、特許文献１の構成では、連続押し下げが解除されるまでは、どのような場合でも、チャンネル切換を保留にする処理を行っていた。したがって、選局装置が連続押し下げでないことを判断するまで常にユーザが待機することを強要するものであり、ユーザが早く番組を見たいという要求に応えることができなかった。
【００１０】
そこで、本発明は、放送受信部と、その他の構成が別であってこれらが通信することを要する場合に、チャンネルを切り換える速度を向上させる放送受信装置を提供することを目的とする。
【課題を解決するための手段】
【００１１】
本発明は、上述の課題を解決するための手段を以下のように構成している。
【００１２】
（１）  放送番組と放送番組の情報と、各放送番組についての視聴制限情報を受信する受信手段と、
前記受信手段が受信した放送番組の情報のＯＳＤを出力するＯＳＤ出力手段と、
所定の操作入力を受けて、前記放送番組のチャンネルの切換を前記受信手段に指示するチャンネル指示手段と、
前記視聴制限情報に基づいて、視聴制限すべき放送番組を前記操作入力の前に予め選択して、視聴制限の指示を前記受信手段に対して行う視聴制限手段と、を備える放送受信装置において、
前記チャンネル指示手段は、前記所定の操作入力を受けた後に、前記視聴制限情報に基づいて、前記視聴制限手段が行った視聴制限の解除の指示を行う手段を有し、
（Ａ）前記所定の操作入力の後、所定時間経過するまでに、前記チャンネル指示手段が、前記操作入力を続けて受けた場合には、前記チャンネル指示手段は、前記視聴制限の解除の指示を行わないと共に、前記ＯＳＤ出力手段は、前記放送番組の情報のＯＳＤを出力せず、
（Ｂ）前記操作入力の後、前記所定時間の間、前記チャンネル指示手段が前記操作入力を受けなかった場合には、前記チャンネル指示手段は、前記視聴制限情報に基づいて前記視聴制限の解除の指示を行うと共に、前記ＯＳＤ出力手段は、前記放送番組の情報のＯＳＤを出力する。
【００１３】
この構成では、放送受信手段と、チャンネル指示手段等を備えている。チャンネル指示手段は、所定時間経過したことを条件に用いて、操作入力が連続しているかを判断している。受信手段は、チャンネル指示手段からの指示を受けて、チャンネル切換、視聴制限の解除を行う。操作入力が連続している場合には、（Ａ）により、受信手段とチャンネル指示手段との間で通信に時間がかかる視聴制限の解除処理、および処理が比較的重たいＯＳＤの出力をいずれも行わない。操作入力が連続していない場合には、（Ｂ）により、改めてこれらの処理を行う。したがって、操作入力が連続している場合には、チャンネルの移動を速めることができる。また、チャンネルの移動時に動作が不安定になることを回避できる。
【００１４】
なお、「前記視聴制限情報に基づいて」視聴制限を行い、また視聴制限の解除を行うので、視聴制限、視聴制限の解除を必ず行うというものではない。例えば、前記視聴制限情報と、所定の条件と照らして、この条件を満たさなければ、視聴制限、視聴制限の解除をしないことがあってもよい。
【００１５】
（２）  前記チャンネル指示手段は、前記操作入力をチャンネルのアップ／ダウンキーから受けるようにしてもよい。
【００１６】
チャンネルのアップ／ダウンキーからの操作入力であれば、操作入力が連続しやすい。
【００１７】
（３）  前記チャンネル指示手段は、前記チャンネルのアップ／ダウンキーのみならず、直接チャンネルの番号の指示をも受け付け、
前記直接チャンネルの番号の指示を受け付けた場合には、前記受信手段は、前記所定時間の経過を待たずに、前記前記視聴制限情報に基づいて前記視聴制限を解除する指示を行うと共に、前記ＯＳＤ出力手段は、前記所定時間の経過を待たずにこのチャンネルの放送番組の情報のＯＳＤを出力するようにしてもよい。
【００１８】
この構成では、直接チャンネル番号が操作入力として入力される。この場合、操作入力が連続する可能性が少ない。そこで、所定時間の経過を待たずに、視聴制限の解除処理やＯＳＤの出力をした方がむしろ使い勝手がよい。そこで、この場合には、所定時間の経過を待たずに、視聴制限の解除処理やＯＳＤの出力をする。
【発明の効果】
【００１９】
本発明の放送受信装置によれば、チャンネルを切り換える速度を向上させることができる。また、チャンネルの移動時に動作が不安定になることを回避できる。
【発明を実施するための最良の形態】
【００２０】
図１を用いて、本実施形態の放送受信装置１（ＤＶＤレコーダ）の構成について説明する。放送受信装置１は、デジタル放送を受信して、受信した番組を録画する録画装置である。
【００２１】
放送受信装置１は、受信モジュール２、メインモジュール１０を備える。また放送受信装置１の外部に、アンテナ１０１、表示器１０２を備える。
【００２２】
アンテナ１０１は、電波を受信する。受信モジュール２は、チューナパック２１、地上デジタルモジュール２２、テレビデコーダ２５、システムデコーダ２６を備えている。チューナパック２１は、ＩＦフィルタと、ＩＦアンプ、復調回路、誤り訂正回路を備えている。ＩＦフィルタ（intermediate frequency）はチャンネル制御部２３から指示された所定の物理チャンネルの信号を通す。ＩＦアンプは、この信号を増幅する。以上の構成により、チューナパック２１は、指定されたチャンネルの放送信号を抽出し、地上デジタルモジュール２２に出力する。復調回路は、入力された放送信号をＯＦＤＭ（Orthogonal Frequency Division Multiplexing）復調して、デジタルデータであるＴＳ（トランスポートストリーム）を誤り訂正回路に出力する。誤り訂正回路はＴＳ（トランスポートストリーム）の誤り情報を訂正する。
【００２３】
地上デジタルモジュール２２は、マルチプレクサ、バッファメモリを備えている。
【００２４】
ＴＳには複数の仮想チャンネルの番組が多重化されて送信されている。デマルチプレクサは、これらの仮想チャンネルのうちの１チャンネルのパケットを抽出して、抽出したパケットに格納されているデータをバッファメモリに記憶させるとともに、チャンネル番号の情報を制御部７に出力する。
【００２５】
また、ＴＳには、ＰＳＩ(Program Specific Information、番組特定情報)またはＳＩ（Service Information）のパケットが含まれている（以下、ＰＳＩ／ＳＩと表記する）。デマルチプレクサは、ＴＳからＰＳＩ／ＳＩを分離して、バッファメモリは、これを記憶する。
【００２６】
チャンネル制御部２３は、マイコンで構成してもよいし、地上デジタルモジュール２２、ＴＶデコーダ２５の機能部を含むシステムＩＣで構成してもよい。チャンネル制御部２３は、チャンネルテーブル２３２を記憶するフラッシュメモリ２３１を備えている。チャンネルテーブルには、仮想チャンネルと物理チャンネルの対応が記述されている。チャンネル制御部２３は、制御部７から所定の仮想チャンネルへの切換の指示を受けると、チューナパック２１に所定の物理チャンネルを選択するよう指示する。
【００２７】
なお、チャンネルテーブル２３２を記憶するフラッシュメモリは、チャンネル制御部２３の外部に接続されていてもよい。また、受信モジュール２が視聴制限を行う場合、その方法は、どのような方法でもよい。例えば、（Ａ）チューナパック２１が受信しない、（Ｂ）チューナパック２１は、内部で放送信号を受信するがＴＳを出力しない、（Ｃ）チューナパック２１がＴＳを出力するが、ＴＶデコーダ２５がデコードした信号を出力しないといった方法が考えられる。以下の実施形態では、（Ｃ）の方法を例にとって説明する。
【００２８】
ＴＶデコーダ２５は、チューナ２１内のバッファメモリが記憶するデータを適宜読み出す。そして、読み出したデータから映像データと音声データとを分離する。また、ＴＶデコーダ２５は、映像データと音声データを伸長し、出力する。
【００２９】
システムデコーダ２６は、デマルチプレクサが分離したＰＳＩ／ＳＩのパケットをデコードする。ＰＳＩ／ＳＩの中には、ＥＩＴ(EventInformation Table)が含まれている。ＥＩＴには、番組の名称や放送日時、放送内容、視聴制限情報など、番組に関連する情報が含まれる。さらに、ＥＩＴの中には、不適切な放送番組について子供が視聴しないよう、親が視聴制限をかける設定をするためのＲＲＴ（Rating Region Table、レイティング地域テーブル）が含まれる。このＲＲＴには、バイオレンス、アダルトなどの、視聴制限を行うための各種の項目（Dimension,ディメンジョン）と、その項目によりどのレベルで視聴制限を行うかを表すレベル（レイティングレベル）とが対応付けられたＶ−ＣＨＩＰ情報を含んでいる。
【００３０】
システムデコーダ２６は、これらのＥＩＴ、ＲＲＴの情報を制御部７に出力する。
【００３１】
メインモジュール１０は、録画部３、Ｄ／Ａ変換器６１、６２と、ＯＳＤ（オンスクリーンディスプレイ）合成部５、Ｄ／Ａ変換器６１，６２、制御部７、リモコン受光部８、リモコン８０を備える。
【００３２】
ＯＳＤ（On-Screen Display）合成部５は、放送受信装置１の各種設定を表示するための文字図形の映像信号を出力する。ＯＳＤ合成部５は、ＯＳＤ画像メモリを備えており、制御部７（録画部５起動時）、チューナ制御部２６（放送受信時）から与えられる制御信号に基づいて、このＯＳＤ画像メモリが記憶している文字又は図形の映像信号を生成し、出力する。また、ＴＶデコーダ２５または録画部５内のデコーダから映像信号が出力されている場合には、ＯＳＤ合成部５は、この映像信号を合成する。
例えば、ＯＳＤ合成部５は、受信モジュール２が受信している放送番組を表示しているときは、チャンネル情報を表す映像信号を生成する。
【００３３】
なお、受信モジュール２にも、ＯＳＤ合成部を設けて、放送受信関係のＯＳＤを処理してもよい。また、地上デジタルモジュール２２、チャンネル制御部２３、ＴＶデコーダ２５を１チップに収めたシステムＩＣで構成してもよい。
【００３４】
Ｄ／Ａ変換部６１は、ＯＳＤ合成部５から出力した映像信号をアナログの映像信号に変換し、外部の表示器１０２（テレビジョン受像機受像機等）に出力する。Ｄ／Ａ変換部６２は、ＴＶデコーダ２５から出力された音声信号をアナログの音声信号に変換し、スピーカ１０３に出力する。
【００３５】
制御部７は、マイコンで構成し、制御部７内のサブルーチンを格納するＲＯＭ７２、各種のサブルーチンを実行するＣＰＵ（不図示）、制御部７の計算結果を一時的に記憶するＲＡＭ（不図示）を備える。制御部７は、サブルーチンを実行することにより各部を制御する。制御部７は、受信モジュール２内部の処理以外の各種の処理を行う。
【００３６】
ＲＯＭ７２は、チャンネル切換処理７２０、視聴禁止処理７２１、視聴制限解除処理７２２、ＯＳＤの出力処理７２３を行うための各種のサブルーチンを記憶している。不揮発性メモリ７３は、制御部７が取り扱う制御情報、例えば、ペアレンタルロックの解除の可否を判断するための情報を記憶している。
【００３７】
チャンネル切換処理７２０では、制御部７は、リモコン受光部８のチャンネルアップ／ダウンキー８１、番号キー８４からチャンネル切換の指示を受けると、チャンネル制御部２３に仮想チャンネルを指定する。
【００３８】
視聴制限処理７２１は、設定処理と、視聴制限指示処理とを含む。設定処理では、制御部７は、受信したＥＩＴに含まれるＲＲＴから、視聴制限の項目（ディメンジョン）、レイティングの情報を入力し、予めユーザ（子供の視聴を管理する親）から、レイティングの選択を受け付ける。また、視聴制限処理では、制御部７は、ＥＩＴの放送番組情報を基にして、どのチャンネルがロックされるべきかの視聴制限情報をユーザが選局する前に予めチャンネル制御部２３に出力する。このように、ユーザが選局する前に予め、視聴制限の禁止の処理を行っているので、視聴制限された放送番組の映像が表示器１０２に表示されることがない。
【００３９】
視聴制限解除処理７２２では、制御部７は、リモコン８０からチャンネル切換の指示を受けた後に、受信部と通信して、切換後のチャンネルについて、視聴制限処理７２１により行われた視聴制限の解除を行う。ＯＳＤ出力処理７２３では、制御部７は、ＯＳＤ合成部５に放送番組の名称、放送番組情報等のテキストを指定するコマンドを発行する。
【００４０】
なお、制御部７は、視聴制限指示処理をユーザによるチャンネル選択とかかわりなく行う。制御部７は、視聴制限指示処理を定期的に行ってもよいし、ＥＩＴの情報から視聴制限すべき放送番組が開始したときにタイマー割り込みが入るようにして、その視聴制限すべき放送番組に対応するチャンネルをチャンネル制御部２３に指示することにより行ってもよい。また、制御部７は、以上であげた処理以外にも録画部３の制御、リモコン受光部８の制御などの処理を行うサブルーチン（不図示）をＲＯＭ７２内に記憶している。
【００４１】
リモコン受光部８はリモコン８０からの赤外信号を受け付ける。リモコン受光部８は、制御部７を操作するための制御入力を受け付ける。放送受信装置１またはリモコンの操作子が押下げられると、所定の制御入力が制御部７に入力される。
【００４２】
リモコン８０は、チャンネルアップ／ダウンキー８１、番号キー８４を備えている。チャンネルアップ／ダウンキー８１が押されたときは、チャンネル番号のインクリメントまたはデクリメントを行うための入力を受ける。なお、インクリメントしたまたはデクリメントしたチャンネル番号は、制御部７側が管理するようにしてもよいし、制御部７は、単にインクリメント等の指示を行って、チャンネル制御部２３側がチャンネル番号を管理してもよい。
【００４３】
番号キー８４は、チャンネルをインクリメント等するのではなく、直接、所定のチャンネル番号の選択を受け付ける。番号キー８４が押されると、リモコン受光部８を介して、制御部７に制御信号が入力される。制御部７は、リモコン８０で指示された番号の仮想チャンネルをチャンネル制御部２３に指示する。
【００４４】
なお、制御部７およびリモコン受光部８、リモコン８０は、本発明の「チャンネル指示手段」に相当する。
【００４５】
次に図２のフロー図を用いて、制御部７が行うチャンネル切換処理７２０について説明する。制御部７は、チャンネル制御部２３に対して、チャンネル移動コマンドを発行する。チャンネル移動コマンドは、所定の仮想チャンネルへの移動を指示するコマンドである。チャンネル制御部２３は、このコマンドに応じて、チャンネルを移動したかどうかの状態を示すステータスを制御部７に出力する。ＳＴ２で、制御部７は、このステータスを受信する。
【００４６】
ＳＴ３０１〜ＳＴ３０３は、チャンネル入力が連続しているかどうかを判断するための処理である。ＳＴ３０１では、ＳＴ２の後の経過時間を測定するため、タイマーのカウントを開始する。ＳＴ３０２では、リモコン８０からチャンネル入力がされたかどうか判断する。チャンネル入力がされた場合には（ＳＴ３０２のＹＥＳ）、ＳＴ４、ＳＴ５を行わず、ＳＴ１に戻る。チャンネル入力がされていない場合には（ＳＴ３０２のＮＯ）、ＳＴ３０３で一定時間経過したか判断する。一定時間経過するまで（ＳＴ３０３のＮＯ）、ＳＴ３０２によりチャンネル入力を受け付ける。ＳＴ３０２でチャンネル入力がなく（ＳＴ３０２のＮＯ）、一定時間経過した場合には（ＳＴ３０３のＹＥＳ）、ＳＴ４に移動する。
【００４７】
このように、ＳＴ３０１〜ＳＴ３０３では、一定時間内に、続けてチャンネル切換の操作入力がされたか判断することにより、この操作入力が連続しているか判断する。そして、チャンネル入力が連続している場合には、比較的処理が重いＳＴ４、ＳＴ５を行わない。
【００４８】
ＳＴ４では、制御部７は、視聴制限解除処理７２２を行う。この処理では、制御部７は、指示するチャンネルが視聴制限を解除してよいかを、レイティング情報と、設定処理で設定されたユーザ設定に基づいて判断する。視聴制限を解除してよいと判断した場合には、チャンネル制御部２３に解除の指示を出す。なお、チャンネルロックがかかったチャンネルへの切換が指示された場合、ＳＴ４を実行するまでは、チューナパック２１は、放送の受信をしているが、ＴＶデコーダ２５は、映像信号を出力しない状態にあるとしてもよいし、ＳＴ４の視聴制限の解除の後、そのチャンネルの放送を受信してもよい。
【００４９】
ＳＴ５では、制御部７は、ＯＳＤ出力処理７２３を行う。これによりＯＳＤ合成部５がチャンネル表示、放送番組情報を出力する。
【００５０】
次に図３のフロー図を用いて、図２のＳＴ４で示した視聴制限解除処理についてより詳しく説明する。
【００５１】
ＳＴ１１で、ステータス取得コマンドを発行する。ステータス取得コマンドは、所定の仮想チャンネルの視聴制限の状態の送信を指示するコマンドである。ここでは、制御部７は、図２の処理のＳＴ１で切り換えたチャンネルの状態を、チャンネル制御部２３が制御部７に送信するよう指示する。
ＳＴ１２で、制御部７は、チャンネル制御部２３が送信したステータスを受信する。
【００５２】
ＳＴ１３では、視聴制限が解除された状態かどうか判断し、視聴制限が解除された状態であれば（ＳＴ１３のＹＥＳ）、このフローを終了する。視聴制限が解除された状態でなければ（ＳＴ１３のＮＯ）、ＳＴ１４に移動する。
【００５３】
ＳＴ１４では、視聴制限を解除してもよい状態かどうかを判断する。具体的には、放送番組の視聴制限情報をＥＩＴから取得して、ユーザが選択したレイティングと適合しているか判断する。例えば、ＳＴ１で受信を指示したチャンネルの視聴制限情報を取得すると、「ＶＩＯＬＥＮＣＥ」の項目（ディメンジョン）について、所定のレイティングであったとする。この場合、取得した視聴制限情報がユーザが定めたレイティング以上か判断する。このような判断により、視聴制限を解除してもよい状態であれば（ＳＴのＹＥＳ）、ＳＴ１５で、視聴制限解除コマンドをチャンネル制御部２３に発行する。これにより、視聴制限の解除がチャンネル制御部２３に指示される。視聴制限を解除してもよい状態でなければ（ＳＴのＹＥＳ）、そのまま、このフローを終了する。この場合には、視聴制限は解除されていない状態である。したがって、チューナパック２１は、このチャンネルに合わせているが、地上デジタルモジュール２２またはＴＶデコーダ２５は、映像信号を出力しない。
【００５４】
次に図４のフロー図を用いて、図２のＳＴ５で示したＯＳＤ出力処理７２３についてより詳しく説明する。この処理は、制御部７がＯＳＤ合成部５にＯＳＤのデータのコマンドを出力することにより実行される。ＳＴ３１で、切り換える前のチャンネルに関連するＯＳＤが出力されているかどうか判断する。放送番組の情報のＯＳＤは、放送番組を切り換えた直後は表示されているが、視聴の邪魔になるので、一定時間経過後消去される。そこで、切換前のチャンネルの情報のＯＳＤが出力されている場合には（ＳＴ３１のＹＥＳ）、ＳＴ３２でＯＳＤを消去して、ＳＴ３３に移動する。ＯＳＤが出力されていない場合には（ＳＴ３１のＮＯ）、ＳＴ３２のＯＳＤの消去の処理は行わず、ＳＴ３３に移動する。ＳＴ３３で、図２のＳＴ２で設定したチャンネルの現在、放送されている番組のチャンネル、放送番組情報のＯＳＤを出力する。
【００５５】
なお、図２〜図４で示した処理は、チャンネルアップ／ダウンキー８１が押されたときに限定されない。ただし、チャンネルアップ／ダウンキー８１であれば連打される可能性が高いので、チャンネルアップ／ダウンキー８１が押されたときは、以上、図２〜図４の処理で行うのが望ましい。
【００５６】
第１の実施形態の放送受信装置１について補足説明を行う。
この実施形態ではＤ／Ａ変換部６１、６２を設けているが、外部にデジタル信号対応のテレビジョンを接続する場合や、表示器１０２を内蔵する場合には、Ｄ／Ａ変換部６１、６２を設ける必要はない。この場合には、表示器１０２内部にデジタル信号を直接入力して、マトリクス表示用のドライバを設けてＤ/Ａ変換を行う。また、チャンネルテーブルを記録部３２に記録してもよい。また、この実施形態では、アンテナ１０１から受信しているが、ケーブルテレビ送信網を通じて受信するものでも良い。
【００５７】
また、チューナパック２１がＴＳを出力するとしたが、地上デジタルモジュール２２が映像信号のストリームを出力できればよく、チューナパック２１、地上デジタルモジュール２２の役割分担はどのようなものでもよい。
【００５８】
また、録画部３は、本発明の実施形態として必ずしも必要がない。
また、以上では、デジタル放送を受信する構成を例にとって説明したが、アナログ放送を受信する場合にも適用できる。
【００５９】
また、以上では、信号処理部５をメインモジュール１０にも受けるとしたが、受信関係のＯＳＤを出力するため、受信部２にＯＳＤ合成部を設けてもよい。この場合には、制御部７は、ＯＳＤ出力処理をするときに、チャンネル制御部２３に対して指示を出す。
【００６０】
次に、図５のフロー図を用いて、第１の実施形態の応用に係る第２の実施形態の放送受信装置について説明する。第２の実施形態では、装置の構成はほぼ同じである。ただし、チャンネル直接指示処理を行うサブルーチンを記憶しており、制御部７がこのサブルーチンを実行することが異なり、処理が異なる。第２の実施形態の放送受信装置は、チャンネルアップ／ダウンキー８１で操作入力を受けた場合には、以上で示した第１実施形態の図２〜図４のフローを実行する。また、番号キー８４から直接チャンネル番号を入力した場合には、図５で示すフローを実行する。
【００６１】
ここで、図５のＳＴ３１、ＳＴ３２は、それぞれ、第１の実施形態の図２のＳＴ１、ＳＴ２と同じ処理である。ＳＴ３は、第１の実施形態の図３の処理と同じ処理である。ＳＴ４は、第１の実施形態の図４の処理と同じ処理である。
【００６２】
番号キー８４から直接チャンネル番号が入力される場合には、ユーザは、番号を直接入力しているから、リモコン８０は、比較的、チャンネルが連続して移動する入力を受ける可能性が少ない。このような場合に、図５の処理により処理すれば、図２のＳＴ３０３で示したような一定時間経過する処理を行わないから、無駄に時間を待つことがない。したがって、ユーザが早く番組を見たいという要求に応えることができる。
【００６３】
なお、以上の図１の説明では、機能ごとに分離したブロックで説明したが、実装上は、これらの機能のうち、いずれかが複数の機能が一体となったシステムＩＣで構成してもよいし、一つのブロックを複数に分離して構成してもよい。
【図面の簡単な説明】
【００６４】
【図１】第１実施形態の放送受信装置の構成図
【図２】第１実施形態の放送受信装置のチャンネル切換処理のフロー図
【図３】第１実施形態の放送受信装置の視聴制限解除処理のフロー図
【図４】第１実施形態の放送受信装置のＯＳＤ出力処理のフロー図
【図５】第２実施形態の放送受信装置のチャンネル直接指定処理のフロー図
【符号の説明】
【００６５】
１−放送受信装置、  ２−受信部、
２１−チューナパック、  ２２−地上デジタルモジュール、
２３−チャンネル制御部、  ２５−ＴＶデコーダ、  ２３１−フラッシュメモリ、
２３２−チャンネルテーブル、  ３−録画部、  ５−ＯＳＤ合成部、
６１−Ｄ／Ａ変換器、  ６２−Ｄ／Ａ変換器、
７−制御部、  ７２−ＲＯＭ、
７２０−チャンネル切換処理、  ７２１−視聴禁止処理、
７２２−視聴制限解除処理、  ７２３−ＯＳＤ出力処理、
７３−不揮発性メモリ、  ８−リモコン受光部、  ８０−リモコン、
８１−チャンネルアップ／ダウンキー、  ８４−番号キー、
１０１−アンテナ、  １０２−表示器
【図１】
2008306344.tif 000003
【図２】
2008306344.tif 000004
【図３】
2008306344.tif 000005
【図４】
2008306344.tif 000006
【図５】
2008306344.tif 000007